Podtech/llm-jp-corpus-v4-ja_patent huggingface dataset:
(57)【要約】【課題】  名札類について、ストラップに伸縮性を与えた吊り下げ具を提供する。【解決手段】  名札類（名札、身分証明書、定期券、など）をケースに入れて首やカバンから吊り下げるときに使用する吊り下げ具用ストラップであって、このストラップの少なくとも一部分に伸縮性付与手段を設けている。伸縮性付与手段としては、ストラップ（４）を伸縮可能形状とすることや弾力性を有する素材を使用することが挙げられる。伸縮可能形状としては蛇腹、コイル、ジグザグなどがある。弾力性を有する素材としてはゴムがある。【選択図】  図１
0003215668.tif 000002
【実用新案登録請求の範囲】
【請求項１】
名札類をケース（２）に入れて首やカバンから吊り下げるときに使用する吊り下げ具（１）用ストラップ（４）であって、このストラップ（４）の少なくとも一部分（４２）に伸縮性付与手段を設けたことを特徴とする、名札類の吊り下げ具（１）用ストラップ（４）。
【請求項２】
前記伸縮性付与手段が、ストラップ（４）を伸縮可能形状とすることである請求項１記載の名札類の吊り下げ具（１）用ストラップ（４）。
【請求項３】
前記伸縮可能形状が蛇腹、コイル、ジグザグのいずれかである請求項２記載の名札類の吊り下げ具（１）用ストラップ（４）。
【請求項４】
前記伸縮性付与手段が、弾力性を有する素材を使用することである請求項１記載の名札類の吊り下げ具（１）用ストラップ（４）。
【請求項５】
前記弾力性を有する素材がゴムである請求項４記載の名札類の吊り下げ具（１）用ストラップ（４）。
【考案の詳細な説明】
【技術分野】
【０００１】
本考案は、名札類（名札、身分証明書、定期券、など）を入れたケースを首やカバンから吊り下げるのに使用する吊り下げ具用ストラップに関する。
【背景技術】
【０００２】
上記するような名札類をケースに入れて首やカバンから吊り下げている人をよく見かける。現状のストラップは伸縮性がないものが多いので、入退室時やコピーを取るとき、機械の読み取り部に体ごとケースを寄せて認証を受けなければならないことがある。
【０００３】
このような問題を解決する従来技術として、携帯電話に関してではあるが、例えば、実用新案登録第３０８２１５５号のように、ストラップに伸縮性を与えた吊り下げ具が提案されている。
【先行技術文献】
【特許文献】
【０００４】
【特許文献１】実用新案登録第３０８２１５５号
【考案の概要】
【考案が解決しようとする課題】
【０００５】
上記従来技術は携帯電話に関するものであるので、そのままでは名札類のケースには転用しづらい。本考案は、名札類に関して、ストラップに伸縮性を与えた吊り下げ具を提供することを目的とする。
【課題を解決するための手段】
【０００６】
本考案は、名札類（名札、身分証明書、定期券、など）をケースに入れて、首やカバンから吊り下げるときに使用する吊り下げ具用ストラップであって、このストラップの少なくとも一部分に伸縮性付与手段を設けたことを特徴とする。
【０００７】
伸縮性付与手段としては、ストラップを伸縮可能形状（例えば、蛇腹、コイル、ジグザグ、などの形状）としたり、弾力性を有する素材（例えば、ゴム）を使用したりすることが挙げられる。
【考案の効果】
【０００８】
本考案は、ストラップの少なくとも一部分に伸縮性付与手段を設けているので、名札類入りケースを手に持って引っ張ることにより、ストラップの長さを一時的に長くすることができる。用が済めばケースから手を放すことにより、一瞬で元の状態に戻るので邪魔にならない。
【図面の簡単な説明】
【０００９】
【図１】本考案の1実施例である名札用吊り下げ具の正面図であり、（ａ）は平常時、（ｂ）は伸長時である。
【考案を実施するための形態】
【００１０】
以下、添付の図面に基づき、本考案の実施例を説明する。
【００１１】
図１に示すように、名札は貫通孔２１を有する透明なケース２に入れられている。名札は接続金具３を介してストラップ４と接続されている。
【００１２】
接続金具３は、貫通孔２１を介して名札入りケース２を支持する第１リング３１と、ストラップ末端４１に固着されている第２リング３２からなる。第１リング３１は開閉が可能であり、解放状態のときにケースの貫通孔２１と係合させることができる。
【００１３】
ストラップ４は、コイル状となった部分４２と通常のテープ部分４３からなる。
【００１４】
コイル状となった部分４２は伸縮性があり、手でケース２を引っ張れば、図１の（ａ）の状態から（ｂ）のような状態になる。これによりストラップ４の長さを一時的に長くすることができる。用が済めばケース２から手を放すことにより、一瞬で元の状態に戻すことができる。
【００１５】
テープ部分４３は主として着用者の首に接触する部分であり、コイル状でなく、平坦であるほうが接触感がよい。
【００１６】
ストラップ４に伸縮性を与えるには、コイル形状のほかに、蛇腹、コイル、ジグザグ、などの形状としてもよい。さらに、弾力性を有する素材（例えば、ゴム）を使用することもできる。
【００１７】
さらに、テープ部分４３において、緊急分離具４４が設けられている。この緊急分離具４４は不意に大きな力が加わったときにストラップ４を分離させるものである。例えば、ドアにストラップ４が引っかかった状態でエレベータや電車が動き出したりしたときに、この緊急分離具４４が分離して着用者が首つり状態になることを避けるのに役立つ。
【００１８】
この吊り下げ具１を使用すれば、入退室時やコピーを取るとき、機械の読み取り部に体ごとケース２を寄せて認証を受ける必要がなく、単にケース２を手に取り引っ張るだけでよい。
【符号の説明】
【００１９】
１     吊り下げ具
２     ケース
２１   貫通孔
３     接続金具
３１   第１リング
３２   第２リング
４     ストラップ
４１   ストラップ末端
４２   コイル状となった部分
４３   テープ部分
４４   緊急分離具
【図１】
0003215668.tif 000003
(57)【要約】      （修正有）【課題】既成の素材と在来な装置で低価格につくることができる汚水塵芥濾し分け袋を提供する。【解決手段】熱融着な幅５００ｍｍの不織布の左右両縁を数回折畳みその折目内にゴム紐をはさみ、ゴム紐が２倍以上に伸ばされた状態のまま縫合し、総体を２５ｍｍ幅で折畳み、中間製品とし２５ｍｍ幅ベルト用滑車を介し巻取った後、長さ１１０〜１５０ｍｍ毎に全層・横断・復熔接を施し復熔接の間で切断し製品とする。両面にあるゴム紐拘織部分を両手で摘み開くと袋となり、家庭台所の流しにある三角籠や一般円筒形塵入れに適応できる。【選択図】図５
0003215602.tif 000002
【実用新案登録請求の範囲】
【請求項１】
熱溶融な不織布のロール（図１幅７５０ｍｍ）の左右両縁を数回折畳み（図２）その折目内に  ゴム紐を通し（図３）ゴム紐が２倍に伸ばされた状態のまま縫合し総体を２５ｍｍ幅で折畳み  中間製品（図４）として  ２５ｍｍ幅ベルト用滑車を介し巻取り  長さ１５０ｍｍ毎に全層横断復熔接を施し  復熔接の間で切断して製品（図５）とする。  これは  単純な素材と  普通な加工と  奇抜な工程によって  奇抜なごみ執り具を  安価に提供する工夫である。
【考案の詳細な説明】
【技術分野】
【０００１】  台所・流し等  汚水に紛れる塵芥を分離し  乾燥ゴミとして処分できるゴミ袋。従来この用途の袋は保管、使用、廃棄に於いて困難があり、高価で  主婦泣かせな物だった。
【背景技術】
【０００２】  素地は再生不織布とゴム紐で  ロール折畳み・紐添附・熔接・裁断でき、新たな設備は要らない。
【考案が解決しようとする課題】
【０００３】  素地の再生不織布は繊維が熱可塑で事前に熱ロールされ  寸法安定と折加工が容易な事が望ましい。ゴム紐が最伸張状態で  布地と一体化する事が重要で  その為  拘縫いなどの工夫が重要である。
【課題を解決するための手段】
【０００４】  素地は熱融着性不織布で  その為  素地を巻いたロールは２本設え  ２本のロール間にある素地は緊張状態でその両縁を２回程長手方向に折  その折目の間へ  両側に有るゴム紐装置から供給される最伸張状態のゴム紐が挿入される。更に  素地を巻いた２本のロールの間に  両縁に付いて  ゴム紐を拘縫いする２台のミシンを備え  ゴム紐が最伸張状態で素地へ拘織されなければならない。その為両縁にゴム紐が拘織された素地は  最伸張状態の侭  長手方向に２５ｍｍ幅で折り返され  帯状となる。
【考案の効果】
【０００５】  両面にあるゴム紐拘織部分を  両手で摘み開くと  口径６〜２０ｃｍ  深さ１５〜１８ｃｍの袋状を成す。此れは  家庭台所の流しにある三角籠に適応し  一般円筒形塵入れに適応す。
【考案を実施するための最良の形態】
【０００６】  素地に  白色感熱布と無色ゴム紐を採用すれば  清潔感から  食材の洗浄保管にも使用される。
【実施例１】
【０００７】  熱融着性不織布の両縁へ  ゴム紐を最延伸した状態で拘織し  更に総体を２５ｍｍ幅で折畳み  長さ３５０ｍｍで復横断全層融結を施し。最短縮後  復横断融結線の間で裁断して長さ１２５ｍｍの１袋を得る。
【産業上の利用可能性】
【０００８】  生活上諸状況で  汚水中の塵芥を  廉く簡便に濾し分け  廃棄にも便利な  口径６〜２０ｃｍのゴム袋の以外に  通気性袋  防塵キャプ  などが有る。
【図面の簡単な説明】
【０００９】
【図１】熱融着不織紙の両縁に縦折目を付けた様子。
【図２】図１を断面で見たところ。
【図３】その折目にゴム紐を挿み込み  ゴム紐が最伸長の状態で拘織された状態。
【図４】更に  幅全体へ２５ｍｍ幅で折目を付けた様子。
【図５】横断全層融着複線部で切断し  最緩和状態になった形状。
【図１】
0003215602.tif 000003
【図２】
0003215602.tif 000004
【図３】
0003215602.tif 000005
【図４】
0003215602.tif 000006
【図５】
0003215602.tif 000007
【手続補正書】
【提出日】平成30年1月15日(2018.1.15)
【手続補正１】
【補正対象書類名】実用新案登録請求の範囲
【補正対象項目名】全文
【補正方法】変更
【補正の内容】
【実用新案登録請求の範囲】
【請求項１】
熱融着な幅５００ｍｍの不織布の左右両縁を数回折畳みその折目内にゴム紐をはさみ、ゴム紐が２倍以上に伸ばされた状態のまま縫合し、総体を２５ｍｍ幅で折畳み、中間製品とし２５ｍｍ幅ベルト用滑車を介し巻取った後、長さ１１０〜１５０ｍｍ毎に全層・横断・復熔接を施し復熔接の間で切断し製品とすることを特徴とする濾過性布地折畳み袋。
【手続補正２】
【補正対象書類名】明細書
【補正対象項目名】０００９
【補正方法】変更
【補正の内容】
【０００９】
【図１】原布の両縁を畳み、折目を造る。
【図２】ゴム紐を挟み込む。
【図３】ゴム紐を最伸張し、拘織する。
【図４】全幅を２５ｍｍ幅で折り畳み、帯状とする。
【図５】ゴム紐最伸張状態で、２１０〜３５０ｍｍ間隔で全層融着横断複線を施す。
【図６】全層融着横断複線の間で切断し、内臓されたゴム紐が最緩和状態に成った形。
【手続補正３】
【補正対象書類名】図面
【補正対象項目名】全図
【補正方法】変更
【補正の内容】
【図１】
0003215602.tif 000008
【図２】
0003215602.tif 000009
【図３】
0003215602.tif 000010
【図４】
0003215602.tif 000011
【図５】
0003215602.tif 000012
【図６】
0003215602.tif 000013
(57)【要約】【課題】  本発明は通常の鍋を使うときに中をセパレートし料理を複数種類作れるような調理鍋を提供する【解決手段】  鍋の内側をセパレートさせる。ハーフ、トリプル、クオーター、複数に区分けする仕切りを備えたセパレート鍋。【選択図】図１
0003215608.tif 000002
【実用新案登録請求の範囲】
【請求項１】
鍋の内側を２つ又は３つ又は４つに区分けする仕切を備え、鍋のふちよりも高くならないように一体形成されている
以上を特徴とするセパレート鍋である。
【請求項２】
実際的な必要の範囲で５つ以上に区分けする仕切りを設けたことを特徴とする請求１に記載のセパレート鍋。
【考案の詳細な説明】
【技術分野】
【０００１】  この考案は鍋（家庭用・業務用）の内側を（中を）セパレート（分ける）することに関するものである。
【背景技術】
【０００２】  従来、普通の鍋では一つの鍋につき１種類の料理しか出来なかった。なので１種類の料理をする度に鍋を使い分けていた。
【先行技術文献】
【特許文献】
【０００３】
【特許文献１】特開２００３−０１２０３７号公報
【考案の概要】
【考案が解決しようとする課題】
【０００４】  これは次のような欠点があった。（イ）料理をする時に電子レンジをつけて鍋をいくつかかけて調理する効率が悪い
（ロ）料理をする時に鍋をいくつにもかけて調理する時間がかかる
（ハ）色々な料理を一気に味わえない
（二）人数が多くては使えない
（ホ）コンロが一つしかない家では一つの鍋しか使えない
（ヘ）忙しい学生、主婦、単身赴任の人は時間がないのに料理に時間がかかった
（ト）仕切りが一体形成されてない物は汁物に使えない
発明は以上のような欠点をなくすためになされたものである。
【課題を解決するための手段】
【０００５】  鍋の内側を２つ又は３つ又は４つに区分けする仕切（１）を備え、鍋のふち（２）よりも高くならないように一体形成されている
以上を特徴とするセパレート鍋である。
【考案の効果】
【０００６】  （イ）料理をする時に一気に一つの鍋で調理出来る。
（ロ）料理をする時に一気に一つの鍋で時間をかけずに調理ができる。
（ハ）一気に色々な料理が味わえる
（二）人数が多くても使える
（ホ）コンロが一つの家でも複数の料理が一ぺんに出来る
（ヘ）忙しい学生、主婦、単身赴任の人が料理をする時に時間短縮となる
（ト）仕切りが一体形成されているので汁物にも使える
【図面の簡単な説明】
【０００７】
【図１】本考案の斜面図
【図２】本考案の斜面図
【図３】本考案の斜面図
【考案を実施するための形態】
【０００８】  以下、本発明の実施の形態について説明する。鍋の内側を２つ又は３つ又は４つに区分けする仕切（１）を備え、鍋のふち（２）よりも高くならないように一体形成されている。本発明は以上のような考案であり、例１としてはロコモコ丼（ハワイのハンバーグ）４つにセパレートされた鍋で１か所でハンバーグを焼く、１か所で目玉焼きを焼く、１か所で野菜を焼く、１か所でスープを作る。一つの鍋でロコモコ丼が出来る。例２、寄せ鍋、豆乳鍋を５つにセパレートされた鍋で煮る。最初は３か所で寄せ鍋、２か所で豆乳鍋を作り、後から寄せ鍋の一か所にご飯を入れて雑炊にする。１か所にうどんを入れる。豆乳鍋の１か所に短いパスタを入れる。一つの鍋で二種類の鍋が出来る。例３として、お弁当作りに６つにセパレートされた鍋を使って１か所では冷凍ピラフを温め、１か所ではウィンナーを焼き、１か所ではチキンナゲットを焼き、１か所では炒り卵を焼く、１か所では野菜炒めを、１か所ではブロッコリーのソテーを焼く。この１つの鍋で同時に６品のお弁当が作れ、時間短縮と手間いらずになる。
これを実際に使用する時は料理をする時に２つ以上に分けて使う。これが商品化されれば鍋一つで効率よく時間が短く料理が出来る。
以上を特徴とするセパレート鍋である。
【符号の説明】
【０００９】      １仕切り
２ふち
【図１】
0003215608.tif 000003
【図２】
0003215608.tif 000004
【図３】
0003215608.tif 000005
(57)【要約】      （修正有）【課題】現場工事が簡単施工でき、専門技術者でなくても工事ができ、工期も短く、さらに建物内部での使用状態でも工事が容易にでき、総合的に工事がコストダウンできるパネルを提供する。【解決手段】建築材料及び収納部とフランジから成るパネルであり、収納部５の両端に、フランジ４を設けて、収納部に建築材料を収納し、外壁・屋根材固定モヤ１に嵌入して、固定する。【選択図】図２
0003215601.tif 000002
【実用新案登録請求の範囲】
【請求項１】
外壁・屋根材固定モヤ（１）に固定する、建築材料（６）及び収納部（５）とフランジ（４）から成るパネル（２）
【考案の詳細な説明】
【考案の詳細な説明】
この考案は、鉄骨構造等の建物の外壁・屋根材（３）をとりつけるための外壁・屋根材固定モヤ（１）に、内側から断熱用、防音用、遮音用などの目的で作られた厚手の壁・天井材などの建築材料（６）を、取り付けるために考案された、パネル（２）を提供するものである。
従来は、外壁・屋根材固定モヤ（１）の間に断熱材、吸音材等を外壁（３）に添わせて張り付ける工法を取っていた。新築工事ならば、長期足場設置、そしてそれぞれの現場で、採寸し、材料を切断して、張付けていくため、相当長期の工期の工事になってしまう欠点があった。
この考案はこれを解決するために考案されたパネル（２）を提供するものである。工場内で製作し、簡単に取り付けができる程度のサイズにして、現場工事をできるだけ簡単に，短期でできるように、考案されたものであり、現場工事も新築は当然、現在内部で使用状態の建物の中でも、工事も簡単で容易に行うことができ、、大変有効なものである。
パネル（２）は、建築材料（６）である断熱材、吸音材等を収納する、収納部（５）と外壁・屋根材固定モヤ（１）に取り付けるフランジ（４）から成る。
パネル（２）を外壁材固定モヤ（１）上下又は左右に順次固定していく。
外壁・屋根材固定モヤ（１）の固定方法はボルト止め式、溶接式、その他任意に考えられる。
取り付けは、外壁・屋根材固定モヤ（１）の内側に、パネル（２）を収納、又外側に張り付けできる。パネル（２）の材料は、収納部（５）とフランジ（４）は鋼材・アルミニュウム・ステンレス・その他の金属でも任意であるし、樹脂その他、非金属でも考えられる。収納部（５）に収納する建築材料（６）は、目的により、断熱材・吸音材・防音材・遮音材・その他用途に合わせた任意の材料が考えられる。収納部（５）の構造は、単に折り曲げの板に、断熱材・吸音材・防音材・遮音材・その他用材料をとりつけてもよいし、フレームで組んだ枠の中に組み込んでもよいし、その他任意の方法が考えられる。
本考案であれば、現場工事も専門技術者でなくても容易に工事でき、工期も短期ででき、なお、建物内部で使用している状態でも容易に工事ができるメリットがあり、工場製作の必要はあるが、工事が短期工事となるし、総合的には安価な工事を提供でき、コストダウンできる効果がある。
【図面の簡単な説明】
【図１】本考案の斜視図である。
【図２】本考案の壁実施部分拡大断面図である。
【符号の説明】（１）は外壁・屋根材固定モヤ        （２）は、パネル
（３）は外壁    （４）はフランジ    （５）は収納部
（６）は建築材料
【図１】
0003215601.tif 000003
【図２】
0003215601.tif 000004
【手続補正書】
【提出日】平成30年1月12日(2018.1.12)
【手続補正１】
【補正対象書類名】実用新案登録請求の範囲
【補正対象項目名】全文
【補正方法】変更
【補正の内容】
【実用新案登録請求の範囲】
【請求項１】
収納部（５）の両端に、フランジ（４）を設けて、収納部（５）に建築材料（６）を収納し、外壁・屋根材固定モヤ（１）同志に嵌入して、固定できるパネル（２）
(57)【要約】      （修正有）【課題】収容室内に空気を有し、納豆のキナーゼの成長に役立つ納豆用のアルミニウム箔包装容器を提供する。【解決手段】納豆用のアルミニウム箔包装容器は容器本体１と蓋３とを含み、容器本体の上端の開口には仕切りフィルム２が設けられ、仕切りフィルムと蓋との間には第１収容室を含み、仕切りフィルムと容器本体内における納豆の上表面との間には第２収容室を有し、収容室内は空気を有する。伝熱性がよく、冷却が早くなり、高温及び冷凍状態で、いかなる有毒及び有害物質をも放出しなくなり、食品衛生包装基準に適合する、利点を有する。【選択図】図１
0003215674.tif 000002
【実用新案登録請求の範囲】
【請求項１】
容器本体と蓋とを含む納豆用のアルミニウム箔包装容器であって、前記容器本体の上端の開口には仕切りフィルムが設けられ、前記仕切りフィルムと前記蓋との間には第１収容室を有し、前記仕切りフィルムと前記容器本体内に収容される納豆の上表面との間には第２収容室を有する、ことを特徴とする納豆用のアルミニウム箔包装容器。
【請求項２】
前記容器本体はアルミニウム箔の材質からなる、ことを特徴とする請求項１に記載の納豆用のアルミニウム箔包装容器。
【請求項３】
前記仕切りフィルムは通気フィルムである、ことを特徴とする請求項１に記載の納豆用のアルミニウム箔包装容器。
【考案の詳細な説明】
【技術分野】
【０００１】
本考案は包装容器の技術分野に属し、特に納豆用の包装容器構造の改善に関する。
【背景技術】
【０００２】
納豆は大豆を納豆菌によって発酵させたものであり、主に心血管系に活用されて、血栓溶解の作用を有する。さらに、コレステロール、血中脂質を下げ、更に体内の発がん性物質を除去することができ、記憶力を向上する作用を有し、肝臓を保護し、美容にも役立ち、老化を遅らせる効果を有する。納豆は人体の必要とするカルシウムを供給するため、年寄りが常に食べると、骨粗鬆症も予防できる。そのため、納豆は人々に高度に認められる保健用食品になっている。現在の納豆の生産工程は複雑であり、かつ市場における納豆は食品用プラスチック容器により包装されているが、このプラスチック製包装容器は加熱過程で、有害物質を放出する恐れがあるため、プラスチック製包装容器を代替する製品が求められている。
【考案の概要】
【考案が解決しようとする課題】
【０００３】
従来技術の欠陥について、本考案の解決しようとする技術的課題は更に安全な納豆用のアルミニウム箔包装容器を提供することである。
【課題を解決するための手段】
【０００４】
容器本体と蓋とを含む納豆用のアルミニウム箔包装容器であって、前記容器本体の上端の開口には仕切りフィルムが設けられ、前記仕切りフィルムと蓋との間には第１収容室を有し、仕切りフィルムと容器本体内に収容される納豆の上表面との間には第２収容室を有し、収容室内は空気を有するため、納豆のキナーゼの成長に役立つ。
【０００５】
さらに、前記仕切りフィルムは通気フィルムであり、前記通気フィルムは紙製フィルムであってもよい。
【０００６】
このましくは、前記容器本体はアルミニウム箔の材質からなる。アルミニウム箔の材質からなる容器本体は、１、伝熱性がよく、冷却が早くなり、２、高温及び冷凍状態で、いかなる有毒及び有害物質をも放出しなくなり、３、食品衛生包装基準に適合する、利点を有する。
【考案の効果】
【０００７】
本考案の採用するアルミニウム箔容器本体は、１、伝熱性がよく、冷却が早くなり、２、高温及び冷凍状態で、いかなる有毒及び有害物質をも放出しなくなり、３、食品衛生包装基準に適合する、利点を有する。さらに、本考案の納豆用のアルミニウム箔包装容器において、容器本体の上端の開口には仕切りフィルムが設けられ、仕切りフィルムと蓋の間は第１収容室を有し、仕切りフィルムと容器本体内の納豆の間は第２収容室を有し、収容室内は空気を有するため、納豆のキナーゼの成長に役立つ。
【図面の簡単な説明】
【０００８】
【図１】図１は、本考案の構造模式図である。
【考案を実施するための形態】
【０００９】
下記では、図面と具体的実施形態を合わせて本考案を詳細に説明する。
【００１０】
図１に示すように、納豆用のアルミニウム箔包装容器は容器本体１と蓋３とを含み、前記容器本体１はアルミニウム箔の材質からなる。アルミニウム箔の材質からなる容器本体１は、１、伝熱性がよく、冷却が早くなり、２、高温及び冷凍状態で、いかなる有毒及び有害物質をも放出しなくなり、３、食品衛生包装基準に適合する、利点を有する。前記容器本体１の上端の開口には仕切りフィルム（通気フィルム２）が設けられ、前記仕切りフィルムと蓋３との間には第１収容室を有し、仕切りフィルムと容器本体１内に収容される納豆の上表面との間には第２収容室を有し、収容室内は空気を有するため、納豆のキナーゼの成長に役立つ。さらに、前記仕切りフィルムは通気フィルム２であり、前記通気フィルム２は紙製フィルムであってもよい。
【００１１】
以上は本考案の好ましい具体的実施例を示している。本分野において、当業者は創造的労働を果たさずに本考案の構想に基づいて複数の修正と変化を行うことができるものと理解できる。そのため、当業者は本考案の構想に基づいて、従来技術を合わせてロジック的分析、推理または有限的な実験により上述のような技術手段を得ることができるが、これらも本考案の実用新案登録請求の範囲内に属するべきである。
【符号の説明】
【００１２】
１  容器本体、２  通気フィルム、３  蓋。
【図１】
0003215674.tif 000003
(57)【要約】      （修正有）【課題】災害などの停電時にも地域の安心安全を担保することができる街路灯システムを提供する。【解決手段】電柱から供給される交流電源を直流電源に変える直流電源変換部３と、灯具ＬＥＤ６の間に設けた蓄電池４と、点灯を制御する自動点滅装置５を灯具本体７の内部に設けて構成する。【選択図】図１
0003215631.tif 000002
【実用新案登録請求の範囲】
【請求項１】
電柱から供給される交流電源を直流電源に変える直流電源変換部と、灯具ＬＥＤの間に設けた蓄電池と、点灯を制御する自動点滅装置を灯具本体の内部に設けたことを特徴とする街路灯システム。
【考案の詳細な説明】
【技術分野】
【０００１】  本考案は、停電が発生しても一定時間点灯し、安全な通行や地域の安全を確保するために使用される停電補償付き街路灯に関するものである。
【背景技術】
【０００２】  一般的な街路灯は、歩行者や自転車などの夜間通行に安全を確保するために必要なものとなっている。また、地域の犯罪防止や安全にも絶大な効果を発揮している。
街路灯の光は、地域の住民が安心して生活できるためにも重要な存在である。【０００３】  このように、重要な街路灯であるが、ひとたび災害や事故などが発生すると点灯しないという重大な欠点がある。
大規模地震が深夜に発生した場合、停電することが容易に想像することができる。
特に災害時に街路灯が点灯しないと、安全に避難することができないことが懸念される。【０００４】  また、治安悪化の要因として、街路灯の不点灯も大きな要因として考えられる。安全安心な街を継続するためには、停電時にも必ず点灯する街路灯を提供することが急務である。【０００５】  最近は、交流電源を直流に変換することによりＬＥＤを用いた街路灯が普及しているが、まだほとんどの街路灯は交流で点灯する白熱灯であり、充電した電源を利用することはできなかった。
停電時に点灯する機能を持つものもあるが、バッテリーは本体と別に設置されている。【０００６】
【考案の概要】
【考案が解決しようとする課題】
【０００７】  しかしながら、ＬＥＤを使用した街路灯でも白熱灯の街路灯と同様、停電になれば点灯はしないという欠点があり、地域の安全安心の確保のために街路灯が停電時に点灯しないという問題を解決する必要があった。
【問題を解決するための手段】
【０００８】  そこで、本考案は、ＬＥＤの街路灯において、交流電源を直流に変換する電源部と、ＬＥＤの光源の間に、蓄電池に充電する充電部と、充電部に接続された蓄電池、暗くなったら動作し明るくなったら滅灯する自動点滅装置を灯具の内部に設けたことを特徴とする。
【０００９】  本考案によれば、停電が発生しても街路灯の交流から直流に変換する電源部に接続された蓄電池によってＬＥＤ光源に直流電源を供給するため、街路灯が点灯し、地域の安心安全確保の向上が実現できる。
【考案の効果】
【００１０】  以上詳述したように本考案の停電補償付き街路灯は、不慮の停電時にも街路灯が点灯し、地域の安全安心を確保するとともに、地震などの災害発生時にも避難路の照明が確保することが実現できる。これにより、地域の安全な避難が可能となり防災効果が期待できることとなる。
【図面の簡単な説明】
【００１１】
【図１】停電補償付き街路灯の結線図である。
【図２】停電補償付き街路灯の一般図である。
【考案を実施するための形態】
【００１２】  以下、本考案に係る好適な実施形態を図面に示す実施例を参照しながら説明する。
【実施例】
【００１３】  図１に示すように商用電力は電柱（１）から分岐され、入力端子（２）にて灯具本体（７）に内蔵された直流電源変換部（３）に交流電源が供給される。交流電源は直流電源変換部（３）に接続され、交流電源を直流電気に変換する。直流に変換された電源は蓄電池（４）と灯具ＬＥＤ（６）で構成された灯具に並列で接続されている。蓄電池（４）は、加重充電を防ぐ装置を内蔵しており、不必要な充電は発生しない構造となっている。自動点滅装置（５）は灯具ＬＥＤ（６）と電源の間に接続され、昼間には灯具ＬＥＤ（６）への電源を遮断する構造となっている。【００１４】    以上のシステムは次のようにして使用する。
図１に添って説明すると、通常は、電柱（１）から供給された交流電源は入力端子（２）に交流を常時供給している。入力端子（２）に供給された交流電源は、灯具本体（７）の内部に設けられた直流電源変換部（３）に接続され、供給された交流電源を常に直流に変換している。直流電源変換部（３）は蓄電池（４）と自動点滅装置（５）を介して、灯具ＬＥＤ（６）の接続されている。夜間周辺が暗くなると、自動点滅装置（５）が作動し、直流電源変換部（３）から出てくる直流電気を灯具ＬＥＤ（６）に供給し、直流電気が灯具ＬＥＤ（６）に供給され点灯し灯具本体（７）が街路灯として作動する。【００１５】  夜間停電が発生すると。電柱（１）からの電源が停止する。接続端子（２）を介して灯具本体（７）の内部に設けられた直流電源変換部（３）には電源が供給されないため、直流電源も発生しない。蓄電池（４）は蓄えられている電源が自動点滅装置（５）により灯具ＬＥＤ（６）までが接続されているので通常通りに点灯する。【００１６】  昼間に停電が発生した場合、電柱（１）からの電源が停止するため、直流電源変換部（３）への電源は供給されない。蓄電池（４）は通常満充電状態になっているが、自動点滅装置（５）が昼間の照度では電源の供給を切断しているために灯具ＬＥＤ（６）は点灯しない。そのため、蓄電池（４）はそのままの状態を維持する。【００１７】  昼間の停電時は、蓄電池（４）の電源は温存されるが、自動点滅装置（５）の作動する夜間照度になった場合は、自動点滅装置（５）によって回路が接続され、灯具ＬＥＤ（６）が点灯する。
【産業上の利用可能性】
【００１８】  本考案は、通常の街路灯が災害などで停電した場合でも点灯し、地域の安全を確保することが可能となるとともに、災害時にも避難路の確保や誘導が可能となる。
【符号の説明】
【００１９】１  電柱
２  入力端子
３  直流電源変換部
４  蓄電池
５  自動点滅装置
６  灯具ＬＥＤ
７  灯具本体
【図１】
0003215631.tif 000003
【図２】
0003215631.tif 000004
(57)【要約】      （修正有）【課題】自動車運転者がドアを開けて運転席から乗降する際に、想定外の人的又は風圧などの外力がドアに加わった場合であってもドアが突如大きく開くことがなく、かつ運転者が簡易に着脱できる自動車ドア開度規制ベルトを提供する。【解決手段】自動車ドアの開度を規制するベルトであって、ベルト本体２の一方の端部に着脱自在としたフック部材３を備え、ベルト本体の他方にはバックル４を具備したことを特徴とする。フック部材をハンドル５に引っ掛け、ベルト本体の他端は自動車ドア６の取手６ａに固定し、必要なドアの開度に応じて、ベルトの長さを調整し固定する。【選択図】図２
0003215628.tif 000002
【実用新案登録請求の範囲】
【請求項１】
自動車ドアの開度を規制するベルトであって、
ベルト本体の一方の端部に着脱自在としたフック部材を備え、前記ベルト本体の他方にはバックルを具備したことを特徴とする自動車ドア開度規制ベルト。
【請求項２】
請求項１記載のベルト本体の一方の端部は、前記ベルト本体の一端を折り返して固定し、フック部材着脱用の貫通空間を形成させたことを特徴とする自動車ドア開度規制ベルト。
【請求項３】
請求項１記載のフック部材の形状は、Ｓ字状としたことを特徴とする自動車ドア開度規制ベルト。
【考案の詳細な説明】
【技術分野】
【０００１】  本考案は、自動車ドアの開度を規制するため、ハンドルとドア間に取り付けて使用するベルトに関する。
【背景技術】
【０００２】  自動車運転者が運転席から乗降する際にはドアを開ける動作を必然的に伴うが、ドアを開ける側に隣接した他の自動車や壁などの物体がある場合にはこれらに接触しないよう留意しながら慎重にドアを開けかつこの状態を保ちながら乗降している。
【先行技術文献】
【特許文献】
【０００３】
【特許文献１】実開平５−９６３５８号  公報
【考案の概要】
【考案が解決しようとする課題】
【０００４】  自動車ドアの開度規制についての対応は、これまで例えば特許文献１に示すような自動車メーカーによりメカ的に装備され数段階のポジショニングを伴うものがほとんどであり、運転者が簡易に対応できるものは存在しなかった。
自動車運転者が運転席から乗降する際にはドアを開けかつこの状態を保ちながら乗降しているが、想定外の人的又は風圧などの外力がドアに加わった場合にはドアが突如大きく開くことがあり、ドアを開ける側に隣接した他の自動車や壁などの物体がある場合にはこれらに接触して相互に傷付くというケースが頻発していた。【０００５】  本考案は、上記課題を解決するため運転者が簡易に着脱できる自動車ドア開度規制ベルトの提供を目的とする。
【課題を解決するための手段】
【０００６】  上記目的を達成するために、本考案の自動車ドア開度規制ベルトは、ベルト本体の一方の端部に着脱自在としたフック部材を備え、前記ベルト本体の他方にはバックルを具備したことを特徴としている。
【考案の効果】
【０００７】  本考案の自動車ドア開度規制ベルトは、自動車運転者が運転席から乗降する際に自動車ハンドル部にフック部材を掛けるだけでよく、またドア開度調整のためのベルトの長さ調整もバックルにより簡易に行うことができる。本考案のベルトを使用すれば、予め設定した開度よりドアが開くことがないため想定外の人的又は風圧などの外力がドアに加わった場合にドアが突如大きく開くことがなく、ドアを開ける側に隣接した他の自動車や壁などの物体がある場合にこれらに接触し相互に傷付くことがなくなる。
【図面の簡単な説明】
【０００８】
【図１】本考案に係る自動車ドア開度規制ベルトの全体斜視図である。
【図２】本考案に係る自動車ドア開度規制ベルトの使用状態を示す図である。
【図３】本考案に係る自動車ドア開度規制ベルトに使用するバックルの拡大図である。
【考案を実施するための形態】
【０００９】  以下、本考案に係る自動車ドア開度規制ベルトの一実施の形態について、図１乃至図３に基づいて説明する。
図１は、本考案に係る自動車ドア開度規制ベルト１の全体斜視図であるが、ベルト本体２の一方の端には取付け自在としたフック部材３を備え、また他方の端にはベルトの長さ調整用のバックル４を備えている。
【００１０】  フック部材３の形状はＳ字状とし、ベルト本体２の一端を一部折り返した状態で固定して形成させた貫通空間にフック部材３の一端を挿入すれば簡易にフック部材３をベルト本体２に着脱自在に取付けることができる。
なお、ベルト本体２の一端の折り返し後の固定は、糸で縫ってもよく、図示していないがバックル４と同様のバックルを使用してもよい。
【００１１】  図２は、本考案に係る自動車ドア開度規制ベルト１の使用状態を示す図であって運転席に座った運転者から見た図である。ベルト本体２に取付けたフック部材３のＳ字部を自動車ハンドル５に引っ掛け、またベルト本体２の他端は自動車ドア６の取手６ａに固定させかつ必要な開度に応じた長さ調整後にバックル４で固定した状況を示している。
【００１２】  自動車ドア開度規制ベルト１の長さは、一度調整しておけば次回使用時にはフック部材３のＳ字部を自動車ハンドル５に引っ掛けるだけでよい。
なお、バックル４は、図３の拡大図に示すように市販のものを含めてベルト幅に見合うものを使用すればよい。
【符号の説明】
【００１３】  １    自動車ドア開度規制ベルト
２    ベルト本体
３    フック部材
４    バックル
５    自動車ハンドル
６    自動車ドア
６ａ  自動車ドア取手
【図１】
0003215628.tif 000003
【図２】
0003215628.tif 000004
【図３】
0003215628.tif 000005
(57)【要約】      （修正有）【課題】卓上木材切断機において簡単確実に木材を押さえる木材押さえ具を提供する。【解決手段】第１パイプ１と、コの字を形成する第２パイプ２ａ、２ｂ、２ｃと、第３パイプ３とからなる木材押さえ具であって、第１パイプは卓上木材切断機に設けられた円柱状支柱７に着脱可能に構成され、第１パイプ上部に設けられた横穴に、第２パイプの第１辺２ａが第１パイプと直角に通され、第２パイプの第２辺２ｂと第３パイプとが、それぞれ長さが１対２となる箇所で遊動式にビス留めされている。第１パイプを円柱状支柱に挿入して固定し、第２パイプの第３辺２ｃを手で押し下げることによって、第３パイプの先端６で木材９を押さえつける。【選択図】図１
0003215082.tif 000002
【実用新案登録請求の範囲】
【請求項１】
卓上木材切断機に着脱可能なテコの原理を応用した木材押さえ具。
【考案の詳細な説明】
【技術分野】
【０００１】本考案は既製の卓上木材切断機に着脱可能な木材押さえ具に関する。
【背景技術】
【０００２】卓上木材切断機には、ねじ込み式の押さえ具が標準装備されているが、木材切断のたびにそのネジを回して木材を上から固定する方法であった。
【先行技術文献】
【０００３】ｈｔｔｐ：／／ｗｗｗ．ｒｙｏｂｉ−ｇｒｏｕｐ．ｃｏ．ｊｐ／ｐｏｗｅｒｔｏｏｌｓ／電動工具  卓上スライド丸ノコ
【考案の概要】
【考案が解決しようとする課題】
【０００４】木材を切断しようとするたびに固定用のネジを回す手間を省き、もって作業効率を上げるとともに、ケガの危険を極力回避することにある。【０００５】標準装備のねじ込み式押さえ具は、当該機器の使用現場ではそのネジを回す手間が無駄であり、殆どの中古品では外されている。【０００６】手で押さえているのが現実である。当該機器の使用デモ映像を見ても、やはり手で押さえている。しかし慣れているとはいえ、手が刃先に近い以上多少の危険はある。
【課題を解決するための手段】
【０００７】コの字形に曲げたパイプでテコの原理を応用した押さえ具を形成し、かつ木材を押さえる手を、ノコ刃の刃先からできる限り遠ざける。
【考案の効果】
【０００８】木材を直接手で押さえる場合より、その手が刃先より更に離れ、かつ押さえる手が高い位置で作業ができるという安心感を確保できる。【０００９】テコの原理から十分な押さえる力を確保できる。【００１０】力点に当たる部分を下へ押し下げることにより、木材を押さえつける効果が生じるが、軽く押し下げるだけで十分な効果が得られる。【００１１】特にスライドノコでは、手で押さえる場合、押さえる手は前方へ、ノコを動かす手は後方へという安定しない体勢を是正する。【００１２】当考案の押さえ具では、押さえる手は体幹に近い部分での作業となり、ノコを動かす手だけが前方へ移動するという安定した体勢となる。【００１３】ノコ刃から２０センチほど離れている標準装備の押さえ具より、当考案の押さえ具は、さらにノコ刃に近いところを押さえるので、より確実な押さえ効果を確保できる。【００１４】木材を押さえる際、手間のかかるねじ回しが必要なくなる。【００１５】標準装備の押さえ具では、切断する木材の厚さは５０ミリ程度に限定されるが、当考案品では切断機そのものの最大能力、すなわちノコ刃の最大高の厚さまで対応できる。
【図面の簡単な説明】
【００１６】
【図１】既製の木材切断機のノコ刃より左部分の標準装備の押さえ具を外し、当考案の抑え具で薄い木材を押さえた斜視図。
【００１７】
【図２】既製の木材切断機のノコ刃より左部分の標準装備の押さえ具を外し、当考案の押さえ具で厚い木材を押さえた斜視図。
【００１８】
【考案を実施するための形態】
【００１９】以下、本考案の実施の形態を図に基づいて説明する。
【実施例１】
【００２０】パイプの１と、コの字形に曲げたパイプの２ａ、２ｂ、２ｃとパイプの３を［図１］のように連結し配置する。【００２１】パイプの１を、標準装備のねじ込み式押さえ具の円柱状支柱の８に挿入して固定し、そのパイプの１の上部に横穴を設け、これにパイプの２ａをパイプの１と直角に通す。【００２２】通した箇所４は固定せず、左右に遊動式とする。【００２３】パイプの２ａ、２ｂ、２ｃは９の面から１５センチの高さとし、かつ平行とする。【００２４】切断する木材を挟めばパイプの２ｂは平行ではなくなる。【００２５】パイプ２ａを通した箇所４は、テコの原理で言う作用点に相当するが、８で固定されているので上には動かない。【００２６】パイプの２ｂとパイプの３を、それぞれ長さが１対２となる箇所でビス留めする。【００２７】ビス留めは各パイプを固定するものではなく、単に連結させてそれぞれ遊動式とする。【００２８】遊動式により、パイプの３は上下入れ替わりが可能となり、木材の厚さにより使い分けができる。【００２９】パイプの３は、木材に対して角度的に左右には動かないが、前後には動き木材に対して直角に位置させる必要はない。【００３０】パイプの２ｃの木材に接する箇所の６がテコでの支点となる。【００３１】パイプの２ｂはノコ刃に対して平行とし、パイプの２ｃは手で押し下げる力点となる。【００３２】接している状態で力点部分の２ｃを押し下げると、作用点は上には動かないので支点に力が加わることになる。その結果、木材が押さえつけられる。
【産業上の利用可能性】
【００３３】本考案は木材切断機に利用される。
【符号の説明】
【００１９】１    標準装備のねじ込み式押さえ具の円柱状支柱受けの８に挿入するパイプ
２ａ  パイプの１に通すパイプの一部
２ｂ  パイプの３に連結させるパイプの一部
２ｃ  力点を構成するパイプの一部
３    支点を構成するパイプ
４    作用点を構成する箇所
５    パイプの２ｂとパイプの３を連結させるビス
６    支点を構成する箇所
７    市販卓上木材切断機に標準装備のねじ込み式押さえ具の円柱状支柱受け
８    既製木材切断機のノコ刃より左部分の木材乗せ台
９    木材
【図１】
0003215082.tif 000003
【図２】
0003215082.tif 000004
【手続補正書】
【提出日】平成29年11月24日(2017.11.24)
【手続補正１】
【補正対象書類名】実用新案登録請求の範囲
【補正対象項目名】全文
【補正方法】変更
【補正の内容】
【実用新案登録請求の範囲】
【請求項１】
第１パイプ（１）と、コの字を形成する第１辺（２ａ）、第２辺（２ｂ）及び第３辺（２ｃ）とからなる第２パイプ（２ａ、２ｂ、２ｃ）と、第３パイプ（３）とからなる木材押さえ具であって、
前記第パイプ（１）は卓上木材切断機に設けられた円柱状支柱（７）に着脱可能に構成されており、
前記第１パイプ（１）上部に設けられた横穴に、前期第２パイプの第１辺（２ａ）が前記第１パイプ（１）と直角に通されており、
前記第２パイプの第２辺（２ｂ）と前記第３パイプ（３）とが、それぞれ長さが１対２となる箇所で遊動式にビス留めされており、
前記第１パイプ（１）を前記円柱状支柱（７）に挿入して固定し、前期第２パイプの第３辺（２ｃ）を手で押し下げることによって、前期第３パイプ（３）の先端（６）で木材を押さえつけることが可能であることを特徴とする木材押さえ具。
(57)【要約】      （修正有）【課題】建築物の基礎から這い上がってくる虫の侵入を防止する虫返し部材を提供する。【解決手段】建築物の基礎部１０の垂直面から水平方向に突出し、建築物の基礎部１０にある通気口１１を囲う、または通気口プレートの下に設ける、セメントを主材とする建材に、適切な配分で、防虫、殺虫成分が配合された材料で形成されており、側面形状は主に三角形や四角形であり、虫が侵入しにくい方向で基礎部１０に接着し虫の侵入を阻止する。【選択図】図１
0003215083.tif 000002
【実用新案登録請求の範囲】
【請求項１】
建築物の基礎部の垂直面から水平方向に突出し、セメントを主材とする建材に、適切な配分で、防虫、殺虫成分が配合された材料で形成されている虫返し部材。
【考案の詳細な説明】
【技術分野】
【０００１】虫返し部材に関する。
【背景技術】
【０００２】従来は建築物の基礎部は迷路状のプレートを通気口に挟んで、風は通るようにし、虫は通りにくくしているのみであり、虫の侵入対策は何もされていない
【考案の概要】
【考案が解決しようとする課題】
【０００３】本考案は、建築物の基礎から這い上がってくる虫の侵入を防止することを目的とする。
【課題を解決するための手段】
【０００４】建築物の基礎の垂直面から水平方向に突出し、セメントを主材とする建材に、容積の比率で、２０％〜３０％の割合で、ピレスロイド、フェノブカルブ、ｄ−Ｔ８０フタルスリン等が配合された材料で形成されている虫返し部材
【考案の効果】
【０００５】本考案によれば、建築物の基礎から這い上がってくる虫の侵入を防止することができる
【図面の簡単な説明】
【０００６】
【図１】本考案の実施形態に係る虫返し部材を、昔の家屋の基礎部に取り付けた状態を示している。
【図２】本考案の実施形態に係る虫返し部材を、最近の家屋の基礎部に取り付けた状態を示している。
【図３】本実施形態のセメントを主材とする建材に、適切な配分で、ピレスロイド、フェノブカルブ、ｄ−Ｔ８０フタルスリン等が配合された材料の性能試験結果を示す図である。
【考案を実施するための形態】
【０００７】建築物の基礎部の垂直面から水平方向に突出し、セメントを主材とする建材に、適切な配分で、ピレスロイド、フェノブカルブ、ｄ−Ｔ８０フタルスリン等が配合された材料で形成されている虫返し部材。
【０００８】住宅の基礎部１０はコンクリートでできており、虫が侵入する通気口１１は大きさにして、縦１０ｃｍ×横３０ｃｍ程の孔である。本実施形態の虫返し部材は、基礎部１０の表面から通気口１１を囲い、水平方向に２〜５センチ程度突出した部材である。また、虫返し部材は通風口プレート１２より１０〜２０センチ程下に設けてもよい。
虫返しの成分は、従来の建材、コンクリートやモルタルに、ピレスロイド、フェノブカルブ、ｄ−Ｔ８０フタルスリン等を２０〜３０％の割合で練り込み固める、凝固時間は気温や湿度に左右されるが、おおよそ２日程度で建物に接着される
【０００９】図３に示すようにセメントを主材とする建材に、適切な配分で、ピレスロイド、フェノブカルブ、ｄ−Ｔ８０フタルスリン等を配合させた材料は通常のコンクリートと比べ、虫が寄り付きにくいことが確認できた。
【符号の説明】
【００１０】  １  虫返し部材
１０  基礎部
１１  通気口
１２  通風口プレート
【図１】
0003215083.tif 000003
【図２】
0003215083.tif 000004
【図３】
0003215083.tif 000005
【手続補正書】
【提出日】平成29年11月16日(2017.11.16)
【手続補正１】
【補正対象書類名】実用新案登録請求の範囲
【補正対象項目名】全文
【補正方法】変更
【補正の内容】
【実用新案登録請求の範囲】
【請求項１】
建築物の基礎部の垂直面から水平方向に突出し、建築物の基礎部にある通気口を囲う、または通気口プレートの下に設ける、セメントを主材とする建材に、適切な配分で、防虫、殺虫成分が配合された材料で形成されており、形状は主に三角形や四角形であり、虫が侵入しにくい方向で基礎部に接着し虫の侵入を阻止する虫返し部材。
(57)【要約】      （修正有）【課題】上げ底天板内に、フレーム、脚、折畳み機構全てを収納したデコラ調の省スペースかつ軽量の折畳み式長机を提供する。【解決手段】折畳み式長机は、天板２及び木枠１と金属フレーム３を一体化し、側面からは天板２のみに見える中を上げ底としたスペースに、脚５や折畳み機構を全て収納する。脚５と天板２を４隅で支える頬杖上端のピン軸９が枠体に付随した金属溝８内を移動する形態の折畳み方式で、バネ１１力を応用したオートロック機構を有する。【選択図】図１
0003215088.tif 000002
【実用新案登録請求の範囲】
【請求項１】
木天板及び木枠と金属フレームを一体化し、側面からは天板のみに見える中を上げ底としたスペースに、脚や折畳み機構を全て収納する事を特徴とする折畳み式長机。
【請求項２】
脚と天板を４隅で支える頬杖上端のピン軸が枠体に付随した金属溝内を移動する形態の折畳み方式で、バネ力を応用したオートロック機構を有することを特徴とする折畳み式長机。
【考案の詳細な説明】
【技術分野】
【０００１】会議用折畳み式長机の構造に関する。特に本考案が目標とする主要な対象は会館やイベント会場で随時配置される長机である。
【背景技術】
【０００２】長机の折畳み仕舞い状態は天板、フレーム枠、脚と３層に重なるのが一般的である。【０００３】天板がプラスチック製のものでは本考案に類した省スペース型のものも有る。
【考案の概要】
【考案が解決しようとする課題】
【０００４】  前述３層構造のものでは嵩張る上、折畳んだ下面が全面当りでない為に段積みに制限があり、保管スペースを取り、輸送効率も悪い。【０００５】  前述プラスチック天板のものは、従来の会議机感覚から違和感があり、採用され難い。
【課題を解決するための手段】
【０００６】  上げ底天板内にフレーム、脚、折畳み機構全てを収納したデコラ調の省スペースかつ軽量の長机を提供する。
【考案の効果】
【０００７】  一般市販品比で体積約６割、重量約１／３の省スペース化と軽量化を実現、保管及び運搬の効率化と、設置．片付け作業の大幅な省力化を実現。
【図面の簡単な説明】
【０００８】
【図１】  脚を折畳んだ机裏の平面図（ａ）、同コーナー部のＡ−Ｂ矢視断面図（ｂ）、同断面図中の頬杖上端近傍破線部裏側に取付けられた機構の部分詳細図（ｃ）。
【考案を実施するための形態】
【０００９】  以下、本考案の実施の形態を図１に基づいて説明する。
【００１０】  木枠１の上面に木目化粧版を両面に張付けた合板２が接着され、その内側に３の金属枠が特殊ボンドで強着されている。
【００１１】  枠体３の４隅には幅方向内向きに突出する形で軸４が溶接されている。この軸が脚５のパイプを貫通し、脚開閉の回転軸と成る。
【００１２】  次に脚の折畳み機構について、図１（ｂ）及び（ｃ）に基づいて説明する。
【００１３】  図（ｂ）の開脚状態から畳む場合、頬杖６上端のピン軸９が、枠体３に溶接されたアングル７に切られた溝８を図の左側に移動する。
【００１４】  逆に開脚の場合、ピン軸９は図の右側に移動し溝８右端が図（ｃ）に示す如く下向きに曲がった所に落込むことで固定される構造である。
【００１５】  しかし、このままでは脚を畳む方向の力が加わった時、ピン軸９が浮上して溝８を左へ走るので、これを防ぐのが（ｃ）及び（ａ）図１０、１１の機構である。
【００１６】  すなわち、開脚完了と同時にバネ１１で押されたバー１０の両端が両サイドのＬ形溝上を塞いで、自然にロックするのである。
【００１７】  脚を畳む際には、バー１０中央部を一瞬図の右に引いてやるとピン軸８が浮上かつ左に移動して折畳まれる。
【００１８】  溝内をローラーが移動する折畳形式のテーブルは多く市販されているが、それは頬杖自体に溝があり、機構は全く異なる。
【００１９】  本案テーブルは僅か２．８ｃｍ深さの裏枠内に全機構を収納する工夫を凝らし、安全性、強度、迅速開閉性をも備えている。
【００２０】  また、本提案の形態を可能とするには天板面が５ｍｍと薄い故の揺れ対策と歪対策が必要不可欠である。
【００２１】  揺れ対策は、本機構に於ける各ピン軸と受け孔または溝とのクリアランスを極力小さくすることで克服した。
【００２２】  天板や木枠が吸湿劣化しての反り・歪み対策は、経年劣化の少ないウレタン系接着材で、金属フレームと木部を接着し一体化することで克服した。
【符号の説明】
【００２３】  １    木枠
２    天板
３    金属枠体
４    脚元回転軸
５    脚
６    頬杖
７    アングル
８    ピン軸のスライド溝
９    ピン軸
１０  ロック用バー
１１  ロック用バネ
【図１】
0003215088.tif 000003
【手続補正書】
【提出日】平成29年11月30日(2017.11.30)
【手続補正１】
【補正対象書類名】実用新案登録請求の範囲
【補正対象項目名】全文
【補正方法】変更
【補正の内容】
【実用新案登録請求の範囲】
【請求項１】
天板及び木枠と金属フレームを一体化し、側面からは前記天板のみに見える中を上げ底としたスペースに、脚や折畳み機構を全て収納する事を特徴とする折畳み式長机。
【請求項２】
前記脚と前記天板を４隅で支える頬杖上端のピン軸が枠体に付随した金属溝内を移動する形態の折畳み方式で、バネ力を応用したオートロック機構を有することを特徴とする請求項１記載の折畳み式長机。